(57)【要約】      （修正有）【課題】身体の皮膚の所望の部位で複数のローラを転動させ、身体の皮膚の所望の部位のマッサージ作用やリンパの流れを促進するリンパマッサージ作用およびマイナスイオンによる健康増進作用を期待できるローラ式マッサージ器具を提供する。【解決手段】身体の皮膚で転動する８個のローラ１，２，３，４，５，６，７，８と、これらローラ１，２，３，４，５，６，７，８が回転自在に取り付けられたグリップ９とを備え、該グリップ９は、把持部１０と、この把持部１０の長手方向の両端部に取付けられて下向きにのびる二対の脚部１１，１２とを備えており、脚部１１，１２間に４個のローラ１，２，３，４と脚部１１，１２の外側に４個のローラを回転自在に取付ける。各ローラ１，２，３，４，５，６，７，８は、ホルミシスイオンを放射する希土類元素を練り込んで成形された柔軟性を有するシリコン樹脂からなる。【選択図】図１
0003181201.tif 000002
【実用新案登録請求の範囲】
【請求項１】
身体の皮膚で転動する複数のローラと、これらローラが回転自在に取り付けられたグリップと、を備えたローラ式マッサージ器具であって、前記グリップは、把持部と、この把持部の長手方向の両端部に取付けられて下向きにのびる二対の脚部とを備え、前記二対の脚部間に４つの大きなローラと、前記二対の脚部外に４つの小さなローラが装備されている
ことを特徴とするローラ式マッサージ器具。
【請求項２】
請求項１に記載したローラ式マッサージ器具において前記各ローラが、ホルミシスイオンを放射する希土類元素を練り込んで成形された柔軟性を有するシリコン樹脂でなるローラ式マッサージ器具。
【考案の詳細な説明】
【技術分野】
【０００１】  本考案は、ローラを身体の皮膚の上で転動させることによるマッサージ作用やリンパの流れを促進するリンパマッサージ作用およびマイナスイオンによる健康増進作用を期待することのできるローラ式マッサージ器具に関する。
【背景技術】
【０００２】  転動ローラを皮膚の上に転がして皮膚を刺激したりマッサージしたりするタイプのローラマッサージ器具は従来より周知である。この種のローラ型マッサージ器具の分野では、ロッド状の杆体の一端に１個又は２個のローラを回転自在に取り付けたものが従来より知られている。【０００３】  また、先行例として、ローラに設けた永久磁石によって身体の血流を促進させたりするもの（たとえば、特許文献１参照）、ローラの端にボールを取り付けておいて、皮膚の上で転動させるもの（たとえば、特許文献２参照）、ローラの表面に設けた突起物によって皮膚に刺激を与えるもの（たとえば、特許文献３参照）などが知られている。
【先行技術文献】
【特許文献】
【０００４】
【特許文献１】特開２０００−１５７５９１号公報
【特許文献２】特開２００４−１３５８１２号公報
【特許文献３】特開平１０−２４４０１０号公報
【考案の概要】
【考案が解決しようとする課題】
【０００５】  しかし、まっすぐなロッド状の杆体の一端に１個のローラを回転自在に取り付けただけの従来のローラ型マッサージ器具は、一般的に、１個のローラを全身の皮膚の所望の部位で転動させるという使用方法が採られるに過ぎないので、ローラを転動させることによってマッサージされる範囲が狭く、使用者にとって充実感のあるマッサージを行うことに関して難点があった。【０００６】  そこで、本考案は、身体の皮膚の所望の部位で大きさの異なるローラを転動させることにより、身体の皮膚の所望の部位のマッサージ作用やリンパの流れを促進するリンパマッサージ作用およびマイナスイオンによる健康増進作用を期待することのできるローラ式マッサージ器具を提供することを目的とする。
【課題を解決するための手段】
【０００７】  本考案に係るローラ式マッサージ器具は、身体の皮膚で転動する大きさの異なるローラと、これらローラが回転自在に取り付けられたグリップと、を備えている。そして、前記グリップは、把持部と、この把持部の長手方向の両端部に取付けられて下向きにのびる二対の脚部とを備え、前記二対の脚部間に４つの大きなローラと、前記二対の脚部外に４つの小さなローラが装備されている。【０００８】  これによれば、グリップの把持部を把手として利用することが可能である。また、大きさの異なるローラを身体の皮膚の所望の部位で同時又は個々に転動させてマッサージすることができるので、優れた全身マッサージ作用やリンパの流れを促進する優れたリンパマッサージ作用を得ることができる。【０００９】  本考案は、前記各ローラが、ホルミシスイオンを放射する希土類元素を練り込んで成形された柔軟性を有するシリコン樹脂でなることが望ましい。ホルミシスイオンを発生する希土類元素は、人の身体に悪影響を及ぼさない程度の低レベルの放射線物質である。また、ホルミシスイオンは、特定の温泉地の温泉にも含まれていると云われていて、特定の入浴剤にも含有されている。そして、このホルミシスイオンは、人体の細胞に作用することにより、内臓脂肪症候群（メタボリックシンドローム）、癌、腎臓病、肝臓病、心臓病、膵臓病、心筋梗塞、脳梗塞、皮膚炎、リュウマチ、糖尿病、睡眠障害、低体温症、パーキンソン病といった多種多様な人の疾患の症状を改善することに役立つとされている。また、このホルミシスイオンの放射作用は永久に持続するとされている。したがって、本考案のように、各ローラが、ホルミシスイオンを放射する希土類元素を練り込んで成形された柔軟性を有するシリコン樹脂でなる、という構成を採用することにより、ローラが皮膚で転動することによるマッサージ作用とともに、ホルミシスイオンの永久的な放射作用による健康増進作用が図られる。【００１０】  本考案は、２本のローラ軸に大きさの異なるローラが軸方向に直列して回転自在に取付けられていることが望ましい。これによると、大きさの異なるローラで身体の皮膚の所望の部位を心地よくマッサージすることが可能である。
【考案の効果】
【００１１】  本考案に係るローラ式マッサージ器具によれば、大きさの異なるローラを身体の皮膚の所望の部位で同時又は個々に転動させてマッサージすることができるので、優れた全身マッサージ作用やリンパの流れを促進する優れたリンパマッサージ作用を得ることができる。しかも、ローラが、ホルミシスイオンを放射する希土類元素を練り込んで成形された柔軟性を有するシリコン樹脂でなるという構成を採用することにより、前記のマッサージ作用とともに、ホルミシスイオンの永久的な放射作用による健康増進作用が図られる。
【図面の簡単な説明】
【００１２】
【図１】本考案に係るローラ式マッサージ器具の一実施形態を示す概略斜視図である。
【考案を実施するための形態】
【００１３】  図１は本考案に係るローラ式マッサージ器具の一実施形態を示す概略斜視図である。
【００１４】  図１において、ローラ式マッサージ器具Ａは、身体の皮膚の所望の部位をマッサージするためのもので、身体の皮膚で転動可能な８個のローラ１，２，３，４，５，６，７，８と、これらローラ１，２，３，４，５，６，７，８が回転自在に取り付けられたグリップ９とを備え、グリップ９は、把持部１０と、この把持部１０の長手方向の両端部に取付けられて下向きにのびる左右一対の脚部１１，１２とを備えている。そして、左右一対の脚部１１，１２間に前記４個の大きいローラが、外側に前記４個の小さいローラが回転自在に取り付けられており、各ローラ１，２，３，４，５，６，７，８は、ホルミシスイオンを放射する希土類元素を練り込んで成形された柔軟性を有するシリコン樹脂で形成されている。
【００１５】  前記構成のローラマッサージ器具Ａによれば、グリップ４のビーム状の把持部５を把手として利用することが可能である。また、８個のローラ１，２，３，４，５，６，７，８を身体の皮膚の所望の部位で同時又は個々に転動させてマッサージすることができるので、優れた全身マッサージ作用やリンパの流れを促進する優れたリンパマッサージ作用を得ることができる。
【００１６】  各ローラ１，２，３，４，５，６，７，８が、ホルミシスイオンを放射する希土類元素を練り込んで成形された柔軟性を有するシリコン樹脂でなることにより、人体の細胞に作用して内臓脂肪症候群、癌、腎臓病、肝臓病、心臓病などの様々な疾患の症状を改善することに役立ち、しかも希土類元素による放射作用は永久に持続するとされている。したがって、各ローラ１，２，３，４，５，６，７，８が身体の皮膚の所望の部位で転動することによるマッサージ作用とともに、ホルミシスイオンの永久的な放射による健康増進作用を図れる優れた効果を期待することができる。
【符号の説明】
【００１７】Ａ  ローラ型マッサージ器具
１  ローラ
２  ローラ
３  ローラ
４  ローラ
５  ローラ
６  ローラ
７  ローラ
８  ローラ
９  グリップ
１０  把持部
１１  脚部
１２  脚部
【図１】
0003181201.tif 000003